【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
該遊技用記録媒体受付手段にて受け付けた遊技用記録媒体に記録されている遊技用価値特定情報から特定される遊技用価値の大きさに基づいて遊技媒体を遊技者に貸与するための貸与処理を行う貸与処理手段と、
遊技媒体を計数して取り込む計数手段と、
該計数手段にて計数した計数遊技媒体数の範囲内の遊技媒体を払い出して遊技者に返却するための払出処理を行う払出処理手段と、
前記遊技用記録媒体受付手段にて受け付けた遊技用記録媒体を遊技者に返却するための返却操作を受け付けたことに基づいて、該遊技用記録媒体の記録情報から前記計数遊技媒体数を特定可能とした当該遊技用記録媒体を返却する返却処理を行う返却処理手段と、を有し、
該返却処理手段は、
前記特定される遊技用価値の大きさが零でない場合に、前記返却処理を行い、
前記特定される遊技用価値の大きさが零であり、かつ前記計数遊技媒体数が零である場合には、前記返却処理を行わない遊技用装置であって、
前記返却操作を受け付けたことに基づき、前記特定される遊技用価値の大きさが零であり、かつ前記計数遊技媒体数が所定の遊技媒体数未満の特定数である場合には、当該特定数の遊技媒体を払い出すための払出処理を行うと共に、前記返却処理を行わないことを特徴とする遊技用装置。
【請求項２】
外部からの払出信号の入力により払出単位として予め定められた複数個の遊技媒体を遊技者に対して払い出す遊技機に１対１に対応して設けられ、
遊技者に対して発行され当該遊技者の所有する遊技用価値の大きさを特定可能な遊技用価値特定情報が記録された遊技用記録媒体を受け付ける遊技用記録媒体受付手段と、
前記払出信号を出力することにより、該遊技用記録媒体受付手段にて受け付けた遊技用記録媒体に記録されている遊技用価値特定情報から特定される遊技用価値の大きさに基づいて前記払出単位の遊技媒体を前記対応する遊技機から払い出して遊技者に貸与するための貸与処理を行う貸与処理手段と、
遊技媒体を計数して取り込む計数手段と、
前記払出信号を出力することにより、該計数手段にて計数した計数遊技媒体数の範囲内で前記払出単位の遊技媒体を前記対応する遊技機から払い出して遊技者に返却するための単位払出処理を行う単位払出処理手段と、
前記計数遊技媒体数の範囲内で前記払出単位未満の単位未満端数の遊技媒体を払い出して遊技者に返却する単位未満払出処理を行う単位未満払出処理手段と、
前記遊技用記録媒体受付手段にて受け付けた遊技用記録媒体を遊技者に返却するための返却操作を受け付けたことに基づいて、該遊技用記録媒体の記録情報から前記計数遊技媒体数を特定可能とした当該遊技用記録媒体を返却する返却処理を行う返却処理手段と、を有し、
該返却処理手段は、
前記特定される遊技用価値の大きさが零でない場合に、前記返却処理を行い、
前記特定される遊技用価値の大きさが零であり、かつ前記計数遊技媒体数が零である場合には、前記返却処理を行わない遊技用装置であって、
前記返却操作を受け付けたことに基づき、前記特定される遊技用価値の大きさが零であり、かつ前記計数遊技媒体数が前記単位未満端数である場合には、該単位未満端数の遊技媒体を払い出すための前記単位未満払出処理を行うと共に、前記返却処理を行わないことを特徴とする遊技用装置。
【請求項３】
請求項１に記載した遊技用装置であって、
前記所定の遊技媒体数は設定可能であることを特徴とする遊技用装置。
【請求項４】
請求項１〜３のいずれか１つに記載した遊技用装置であって、
前記遊技機から払い出された遊技媒体が投入される投入皿部と、該投入皿部に投入された遊技媒体を前記計数手段に誘導する計数通路とを有する計数皿ユニットをさらに備えることを特徴とする遊技用装置。
【請求項５】
請求項４に記載した遊技用装置であって、
前記計数皿ユニットは、前記遊技媒体を払い出して遊技者に返却するための返却皿部をさらに有することを特徴とする遊技用装置。
【手続補正２】
【補正対象書類名】明細書
【補正対象項目名】０００７
【補正方法】変更
【補正の内容】
【０００７】
まず手段１に係る発明は、
遊技機（パチンコ機２）に１対１に対応して設けられ、
遊技者に対して発行され当該遊技者の所有する遊技用価値の大きさ（プリペイド残額）を特定可能な遊技用価値特定情報（プリペイド残額データ）が記録された遊技用記録媒体（ビジタカード，会員カード）を受け付ける遊技用記録媒体受付手段（カードリーダライタ３２７）と、
該遊技用記録媒体受付手段にて受け付けた遊技用記録媒体に記録されている遊技用価値特定情報から特定される遊技用価値の大きさに基づいて遊技媒体（パチンコ玉）を遊技者に貸与するための貸与処理を行う貸与処理手段（Ｓｂ２１の処理を行う制御ユニット３２８）と、
遊技媒体を計数して取り込む計数手段（計数払出ユニット３４８，３４８’）と、
該計数手段にて計数した計数遊技媒体数（持玉数）の範囲内の遊技媒体を払い出して遊技者に返却するための払出処理を行う払出処理手段（Ｓｂ２５の処理を行う制御ユニット３２８）と、
前記遊技用記録媒体受付手段にて受け付けた遊技用記録媒体を遊技者に返却するための返却操作を受け付けたこと（Ｓｂ５でＹＥＳ）に基づいて、該遊技用記録媒体の記録情報から前記計数遊技媒体数を特定可能とした当該遊技用記録媒体（持玉数を記録したビジターカード又は会員カード）を返却する返却処理を行う返却処理手段（Ｓｂ２３ｂの処理を行う制御ユニット３２８）と、を有し、
該返却処理手段は、
前記特定される遊技用価値の大きさが零でない（Ｓ２２０でＮＯ）場合に、前記返却処理を行い（Ｓ２１８）、
前記特定される遊技用価値の大きさが零であり（Ｓ２２０でＹＥＳ）、かつ前記計数遊技媒体数が零である（Ｓ２３６’でＮＯ）場合には、前記返却処理を行わない（Ｓ２４３）遊技用装置（カードユニット３，３’）であって、
前記返却操作を受け付けたことに基づき、前記特定される遊技用価値の大きさが零であり（Ｓ２２０でＹＥＳ）、かつ前記計数遊技媒体数が所定の遊技媒体数（交換玉数）未満の特定数である（Ｓ２３１’でＹＥＳ）場合には、当該特定数の遊技媒体を払い出すための払出処理（Ｓ２３５’及び／又はＳ２３７’）を行うと共に、前記返却処理を行わないことを特徴とする遊技用装置である。
これによれば、遊技用価値の大きさが零であり、かつ計数遊技媒体数が所定の遊技媒体数未満の特定数である場合には、遊技用記録媒体を返却しないので、少ない計数遊技媒体数を特定可能な遊技用記録媒体が返却されて捨てられることによる遊技場の損失を防止できる。
【手続補正３】
【補正対象書類名】明細書
【補正対象項目名】０００８
【補正方法】変更
【補正の内容】
【０００８】
また手段２に係る発明は、
外部からの払出信号（台端末貸出要求完了確認信号（ＢＲＱ））の入力により払出単位として予め定められた複数個（例えば２５玉）の遊技媒体（パチンコ玉）を遊技者に対して払い出す遊技機（パチンコ機２）に１対１に対応して設けられ、
遊技者に対して発行され当該遊技者の所有する遊技用価値の大きさ（プリペイド残額）を特定可能な遊技用価値特定情報（プリペイド残額データ）が記録された遊技用記録媒体（ビジタカード，会員カード）を受け付ける遊技用記録媒体受付手段（カードリーダライタ３２７）と、
前記払出信号を出力することにより、該遊技用記録媒体受付手段にて受け付けた遊技用記録媒体に記録されている遊技用価値特定情報から特定される遊技用価値の大きさに基づいて前記払出単位の遊技媒体を前記対応する遊技機から払い出して遊技者に貸与するための貸与処理を行う貸与処理手段（Ｓｂ２１の処理を行う制御ユニット３２８）と、
遊技媒体を計数して取り込む計数手段（計数払出ユニット３４８，３４８’）と、
前記払出信号を出力することにより、該計数手段にて計数した計数遊技媒体数（持玉数）の範囲内で前記払出単位の遊技媒体を前記対応する遊技機から払い出して遊技者に返却するための単位払出処理を行う単位払出処理手段（Ｓｈ８又はＳｈ１０の処理を行う制御ユニット３２８）と、
前記計数遊技媒体数の範囲内で前記払出単位未満の単位未満端数の遊技媒体を払い出して遊技者に返却する単位未満払出処理を行う単位未満払出処理手段（Ｓｈ５の処理を行う制御ユニット３２８）と、
前記遊技用記録媒体受付手段にて受け付けた遊技用記録媒体を遊技者に返却するための返却操作を受け付けたこと（Ｓｂ５でＹＥＳ）に基づいて、該遊技用記録媒体の記録情報から前記計数遊技媒体数を特定可能とした当該遊技用記録媒体（持玉数を記録したビジターカード又は会員カード）を返却する返却処理を行う返却処理手段（Ｓｂ２３ｂの処理を行う制御ユニット３２８）と、を有し、
該返却処理手段は、
前記特定される遊技用価値の大きさが零でない（Ｓ２２０でＮＯ）場合に、前記返却処理を行い（Ｓ２１８）、
前記特定される遊技用価値の大きさが零であり（Ｓ２２０でＹＥＳ）、かつ前記計数遊技媒体数が零である（Ｓ２３１で零判定）場合には、前記返却処理を行わない（Ｓ２４３）遊技用装置（カードユニット３，３’）であって、
前記返却操作を受け付けたことに基づき、前記特定される遊技用価値の大きさが零であり（Ｓ２２０でＹＥＳ）、かつ前記計数遊技媒体数が前記単位未満端数である（Ｓ２３１でＹＥＳ）場合には、該単位未満端数の遊技媒体を払い出すための前記単位未満払出処理（Ｓ２３３）を行うと共に、前記返却処理を行わないことを特徴とする遊技用装置である。
これによれば、遊技用価値の大きさが零であり、かつ計数遊技媒体数が単位未満端数である場合には、遊技用記録媒体を返却しないので、少ない計数遊技媒体数を特定可能な遊技用記録媒体が返却されて捨てられることによる遊技場の損失を防止できる。
また手段３に係る発明は、手段１に記載した遊技用装置であって、前記所定の遊技媒体数（交換玉数）は設定可能である（例えば１００玉に設定する）ことを特徴とする遊技用装置である。これによれば、遊技場の営業形態に応じて、所定の遊技媒体数を設定できる。
また手段４に係る発明は、手段１〜３のいずれか１つに記載した遊技用装置であって、前記遊技機から払い出された遊技媒体が投入される投入皿部（終端ボックス３４０ａ，４４０ａ）と、該投入皿部に投入された遊技媒体を前記計数手段（計数払出ユニット３４８，３４８’）に誘導する計数通路（経路ボックス３４０ｂ，４４０ｂ）とを有する計数皿ユニット（連結ボックス３４０，４４０）をさらに備えることを特徴とする遊技用装置である。これによれば、投入皿部に投入された遊技媒体を、計数通路を介して計数手段に誘導することができる。
さらに手段５に係る発明は、手段４に記載した遊技用装置であって、前記計数皿ユニットは、前記遊技媒体を払い出して遊技者に返却するための返却皿部（返却皿４４２）をさらに有することを特徴とする遊技用装置である。これによれば、払い出された遊技媒体を遊技者の手元に返却できる。